(57)【要約】【課題】洗い場から遠隔操作で窓の開閉が行なえて使い勝手が良好なものとなり、また、ロック機構が不要となり、防犯上、安全な窓をを提供する。【解決手段】浴室１内の長辺側の壁２に開閉可能な窓８を備えた浴室において、窓８は、透明または半透明の固定窓９と、可動ルーバー窓１０で構成され、可動ルーバー窓１０を開閉し得る開閉機構部１２を設けて、この開閉機構部１２を遠隔操作し得る操作部１４を、浴室１内の洗い場６から操作可能な範囲に設けて構成する。【選択図】図１
2004190458.tif 000002
【特許請求の範囲】
【請求項１】
浴室内の長辺側に開閉可能な窓を設けた浴室において、前記窓を開閉し得る開閉機構部を設け、該開閉機構部を遠隔操作し得る操作部を、浴室内の洗い場から操作可能な範囲に設けたことを特徴とする浴室。
【請求項２】
前記窓が、回動により開閉される複数のルーバー羽根で開口部が区切られた可動ルーバー窓で構成されていることを特徴とする請求項１に記載の浴室。
【請求項３】
前記可動ルーバー窓と同一窓枠内に、採光のための透明または半透明の固定窓が設けられていることを特徴とする請求項２に記載の浴室。
【発明の詳細な説明】
【０００１】
【発明の属する技術分野】
この発明は、浴室内の長辺側に開閉可能な窓を備えた浴室に関するものである。
【０００２】
【従来の技術及び発明が解決しようとする課題】
従来、図６に示すように、戸建て住宅の浴室５１においては、換気と採光のために窓が設けられているが、特に、浴室５１内の長辺側に設けた浴槽５４に沿って、開口の広い引き違い窓５２が設けられているような場合において、このような引き違い窓５２には防犯上、ロック機構部５２ａが備えられており、図に示すように、引き違い窓５２の開閉及び窓のロック機構部５２ａをロックするためには、洗い場５３側から浴槽５４内に足を踏み入れないと窓５２に手が届かないことが多く、浴槽５４内に湯が残っていて蓋がしてある時などにおいては、浴槽５４が邪魔で、窓５２に手が届かず、窓５２の開閉等ができないことがあるという問題点があった。
なお、引き違い窓５２を遠隔操作で開閉する装置が特許参考文献１，特許参考文献２に開示されているが、そのような遠隔装置が備えられている場合においても、防犯上、ロック機構部５２ａをロックするためには、窓に近づいて手でロック機構部５２ａを操作する必要があり、ロックができない場合が生ずるという問題点があった。
【０００３】
【特許文献１】
特開２００２−１１５４５１号公報
【特許文献２】
特開２０００−２６５７４１号公報
【０００４】
【課題を解決するための手段】
本発明は上記従来の問題点に鑑み案出したものであって、洗い場側から窓の開閉を良好に行なうことができ、しかも、ロック機構が不要となって、防犯上、安全な窓を備えた浴室を提供せんことを目的とし、その第１の要旨は、浴室内の長辺側に開閉可能な窓を設けた浴室において、前記窓を開閉し得る開閉機構部を設け、該開閉機構部を遠隔操作し得る操作部を、浴室内の洗い場から操作可能な範囲に設けたことである。
また、第２の要旨は、前記窓が、回動により開閉される複数のルーバー羽根で開口部が区切られた可動ルーバー窓で構成されていることである。
また、第３の要旨は、前記可動ルーバー窓と同一窓枠内に、採光のための透明または半透明の固定窓が設けられていることである。
【０００５】
【発明の実施の形態】
以下、本発明の実施例を図面に基づいて説明する。
図１は、戸建て住宅の浴室の要部斜視図であり、浴室１は、長辺側の壁２と、ドア４を備えた短辺側の壁３と、天井５で構成され、長辺側の壁２に沿って浴槽７が設置されており、ドア４側には洗い場６が形成されている。
この浴槽７に沿った長辺側の壁２には窓８が設けられており、この窓８は、透明または半透明のガラスが嵌め込まれた固定状の固定窓９と、可動ルーバー窓１０で構成されており、同一の窓枠８ａ内に固定窓９と可動ルーバー窓１０が設けられている。
【０００６】
可動ルーバー窓１０の開口部１０ａには、図２に示すように、複数枚のルーバー羽根１１，１１，１１がそれぞれ軸１１ａ，１１ａ，１１ａの回動により開閉できるように設けられ、複数枚のルーバー羽根１１，１１，１１で開口部１０ａが区切られており、この複数枚のルーバー羽根１１，１１，１１を開閉作動させるための開閉機構部１２が設けられている。
このような可動ルーバー窓１０の開閉機構部１２は、例えば、特開平９−７８９５６号公報，特開平７−２９３１３１号公報等に開示されているような機構で構成されている。
【０００７】
この開閉機構部１２には、ワイヤー等で構成された伝達部１３が壁２，３の裏側などを通して接続されており、伝達部１３の先端には、回転ハンドルで構成された操作部１４が設けられている。
この操作部１４は、例えばドア４の近傍の短辺側の壁３に設置されて、浴室内の洗い場６から操作可能な範囲内に設置されている。
従って、洗い場６から、この操作部１４の回転ハンドルを手で回すことにより、伝達部１３を介して開閉機構部１２が作動され、これにより、図３に示すように、複数のルーバー羽根１１，１１，１１を軸１１ａ，１１ａ，１１ａを介して略水平状に開くことができ、この図３の状態では、開口部１０ａが開かれて十分な換気面積が確保できるものである。
【０００８】
また、操作部１４の回転ハンドルを逆方向に回転させることにより、図２のように、各ルーバー羽根１１，１１，１１を畳んで開口部１０ａを閉じることができ、洗い場６側からの遠隔操作で、良好に可動ルーバー窓１０を開閉することができ、逐一、浴槽７を跨いで窓８側へ移動する必要がなく、従来のように無理な姿勢で窓の開閉を行なう必要がなくなり、使い勝手が良好なものとなる。
【０００９】
また、可動ルーバー窓１０の開口部１０ａは、人が入れないような小さな開口であるため、従来のようなロック機構は不要であり、防犯上、安全なものとなる。
しかも、この可動ルーバー窓１０と同一の窓枠８ａ内には、透明または半透明の固定窓９が設けられているため、この固定窓９を介して浴室１内に十分な採光が得られ、窓８の見栄えも良好なものとなる。
【００１０】
なお、図４は、可動ルーバー窓１０の開閉機構の変更例を示すものであり、図４では、洗い場６側から操作可能な場所にリモコンスイッチ１６が設けられ、このリモコンスイッチ１６の操作により、駆動モーター１５を回転させて、駆動モーター１５の回転により、ワイヤー等の伝達部１３を介して、可動ルーバー窓１０のルーバー羽根１１，１１，１１を開閉させるように構成したものである。
【００１１】
また、さらには、図５に示すような構造としても良い。
即ち、図５では、洗い場６側に設けられたリモコンスイッチ１６に制御部１７が接続されており、制御部１７には、可動ルーバー窓１０に取り付けられた駆動モーター１５が接続されている。
このような構成では、リモコンスイッチ１６が操作されることにより、開閉信号が制御部１７に伝えられて、制御部１７からモーター駆動信号が駆動モーター１５に伝えられ、駆動モーター１５が回転して、複数のルーバー羽根１１，１１が開閉されるものである。
【００１２】
【発明の効果】
本発明は、浴室内の長辺側に開閉可能な窓を設けた浴室において、窓を開閉し得る開閉機構部を設け、開閉機構部を遠隔操作し得る操作部を、浴室内の洗い場から操作可能な範囲に設けたことにより、洗い場から窓の開閉操作ができるため、無理な姿勢で窓の開閉を行なう必要がなく、使い勝手が良好なものとなる。
【００１３】
また、窓が、回動により開閉される複数のルーバー羽根で開口部が区切られた可動ルーバー窓で構成されていることにより、ルーバー羽根を遠隔操作で良好に開閉でき、開時には十分な換気面積が確保できるとともに、開口部は人が入れないような小さな開口であるため、ロック機構が不要となり、防犯上、安全なものとなる。
【００１４】
また、可動ルーバー窓と同一窓枠内に、採光のための透明または半透明の固定窓が設けられていることにより、固定窓により十分な採光が得られるとともに、固定窓と可動ルーバー窓を同一窓枠内に設けることにより、窓の見栄え性が向上したものとなる。
【図面の簡単な説明】
【図１】浴室の要部斜視構成図である。
【図２】図１の浴室に設けられた可動ルーバー窓の閉状態の概略構成図である。
【図３】可動ルーバー窓の開状態の概略構成図である。
【図４】リモコンによる遠隔操作が可能な可動ルーバー窓の概略構成図である。
【図５】さらに駆動モーターを備えた可動ルーバー窓の概略構成図である。
【図６】従来の引き違い窓を備えた浴室の斜視構成図である。
【符号の説明】
１  浴室
２  長辺側の壁
３  短辺側の壁
４  ドア
６  洗い場
７  浴槽
８  窓
８ａ  窓枠
９  固定窓
１０  可動ルーバー窓
１０ａ  開口部
１１  ルーバー羽根
１１ａ  軸
１２  開閉機構部
１３  伝達部
１４  操作部（回転ハンドル）
１５  駆動モーター
１６  リモコンスイッチ
１７  制御部
【図１】
2004190458.tif 000003
【図２】
2004190458.tif 000004
【図３】
2004190458.tif 000005
【図４】
2004190458.tif 000006
【図５】
2004190458.tif 000007
【図６】
2004190458.tif 000008